(57)【要約】【課題】シュレッダを要することなく機密書類を処分できる印刷装置を提供することを目的とする。【解決手段】上書き印刷により印刷済み文字等の判別を困難にする上書き用画像データが格納されたメモリ５と、メモリ５の描画コマンドに基づいて画像データを描画するとともに上書き用画像データを展開する画像描画部７と、画像描画部７から転送される画像データを用紙に印刷記録するプリンタエンジン部８とを有し、プリンタエンジン部８は、印刷済みの用紙に上書き用画像データを上書きする。【選択図】図１
2007015327.tif 000002
【特許請求の範囲】
【請求項１】
上書き印刷により印刷済み文字の判別を困難にする上書き用画像データが格納されたデータ保持手段と、
前記データ保持手段の上書き用画像データを展開する画像描画手段と、
前記画像描画手段から転送される画像データを用紙に印刷記録する画像記録手段とを有し、
前記画像記録手段は、印刷済みの用紙に前記上書き用画像データを上書きすることを特徴とする印刷装置。
【請求項２】
前記上書き用画像データは、前記用紙の一面全体を塗りつぶすよう印刷する矩形画像データであることを特徴とする請求項１記載の印刷装置。
【請求項３】
前記上書き用画像データは、前記用紙の一面全体に文字群を印刷する文字画像データであることを特徴とする請求項１記載の印刷装置。
【請求項４】
前記文字画像データは、複数の文字サイズの文字群で構成されていることを特徴とする請求項３記載の印刷装置。
【請求項５】
前記文字画像データは、複数の文字角度の文字群で構成されていることを特徴とする請求項３または４記載の印刷装置。
【請求項６】
前記文字画像データは、有意の文字列により構成されていることを特徴とする請求項３、４または５記載の印刷装置。
【請求項７】
前記上書き用画像データは、前記用紙の一面全体に線画群を印刷する画像データであることを特徴とする請求項３〜６の何れか一項に記載の印刷装置。
【請求項８】
上書き印刷により印刷済み文字の判別を困難にする上書き用描画コマンドが格納されたデータ保持手段と、
前記データ保持手段の上書き用描画コマンドに基づいて画像データを描画する画像描画手段と、
前記画像描画手段から転送される画像データを用紙に印刷記録する画像記録手段とを有し、
前記画像記録手段は、印刷済みの用紙に前記上書き用描画コマンドに基づいて描画した上書き用画像データを上書きすることを特徴とする印刷装置。
【請求項９】
前記上書き用描画コマンドは、前記用紙の一面全体を塗りつぶすよう印刷する矩形描画コマンドであることを特徴とする請求項８記載の印刷装置。
【請求項１０】
前記上書き用描画コマンドは、前記用紙の一面全体に文字群を印刷する文字描画コマンドであることを特徴とする請求項８記載の印刷装置。
【請求項１１】
前記文字描画コマンドは、複数の文字サイズの文字群で構成されていることを特徴とする請求項１０記載の印刷装置。
【請求項１２】
前記文字描画コマンドは、複数の文字角度の文字群で構成されていることを特徴とする請求項１０または１１記載の印刷装置。
【請求項１３】
前記文字描画コマンドは、有意の文字列により構成されていることを特徴とする請求項１０、１１または１２記載の印刷装置。
【請求項１４】
前記上書き用描画コマンドは、前記用紙の一面全体に線画群を印刷する線画画像コマンドであることを特徴とする請求項１０〜１３の何れか一項に記載の印刷装置。
【請求項１５】
上書き印刷により印刷済み文字の判別を困難にする上書き用画像データが格納されたデータ保持手段と、
前記データ保持手段の上書き用画像データを展開する画像描画手段と、
前記画像描画手段から転送される画像データを用紙に印刷記録する画像記録手段と、
廃トナーが収納された廃トナー収納手段とを有し、
前記画像記録手段は、印刷済みの用紙に前記廃トナーを用いて前記上書き用画像データを上書きすることを特徴とする印刷装置。
【請求項１６】
前記上書き用画像データは、前記用紙の一面全体を塗りつぶすよう印刷する矩形画像データであることを特徴とする請求項１５記載の印刷装置。
【請求項１７】
前記上書き用画像データは、前記用紙の一面全体に文字群を印刷する文字画像データであることを特徴とする請求項１５記載の印刷装置。
【請求項１８】
前記文字画像データは、複数の文字サイズの文字群で構成されていることを特徴とする請求項１７記載の印刷装置。
【請求項１９】
前記文字画像データは、複数の文字角度の文字群で構成されていることを特徴とする請求項１７または１８記載の印刷装置。
【請求項２０】
前記文字画像データは、有意の文字列により構成されていることを特徴とする請求項１７、１８または１９記載の印刷装置。
【請求項２１】
前記上書き用画像データは、前記用紙の一面全体に線画群を印刷する画像データであることを特徴とする請求項１７〜２０の何れか一項に記載の印刷装置。
【請求項２２】
上書き印刷により印刷済み文字の判別を困難にする上書き用描画コマンドが格納されたデータ保持手段と、
前記データ保持手段の上書き用描画コマンドに基づいて画像データを描画する画像描画手段と、
前記画像描画手段から転送される画像データを用紙に印刷記録する画像記録手段と、
廃トナーが収納された廃トナー収納手段とを有し、
前記画像記録手段は、印刷済みの用紙に前記上書き用描画コマンドに基づいて前記廃トナーを用いて描画した上書き用画像データを上書きすることを特徴とする印刷装置。
【請求項２３】
前記上書き用描画コマンドは、前記用紙の一面全体を塗りつぶすよう印刷する矩形描画コマンドであることを特徴とする請求項２２記載の印刷装置。
【請求項２４】
前記上書き用描画コマンドは、前記用紙の一面全体に文字群を印刷する文字描画コマンドであることを特徴とする請求項２２記載の印刷装置。
【請求項２５】
前記文字描画コマンドは、複数の文字サイズの文字群で構成されていることを特徴とする請求項２４記載の印刷装置。
【請求項２６】
前記文字描画コマンドは、複数の文字角度の文字群で構成されていることを特徴とする請求項２４または２５記載の印刷装置。
【請求項２７】
前記文字描画コマンドは、有意の文字列により構成されていることを特徴とする請求項２４、２５または２６記載の印刷装置。
【請求項２８】
前記上書き用描画コマンドは、前記用紙の一面全体に線画群を印刷する線画画像コマンドであることを特徴とする請求項２４〜２７の何れか一項に記載の印刷装置。
【請求項２９】
描画コマンドが書き込まれるデータ保持手段と、
前記データ保持手段の前記描画コマンドに基づいて画像データを描画する画像描画手段と、
前記画像描画手段から転送される画像データを用紙に印刷記録する画像記録手段と、
廃トナーが収納された廃トナー収納手段とを有し、
前記画像記録手段は、印刷済みの用紙に感光体全面に形成した前記廃トナーを用いて前記用紙の一面全体を塗りつぶすよう印刷することを特徴とする印刷装置。
【発明の詳細な説明】
【技術分野】
【０００１】
本発明は、プリンタや当該プリンタを備えた複合機等の印刷装置に関する。
【背景技術】
【０００２】
従来、機密事項など重要な情報が記載されている機密書類を処分するために、オフィス等にシュレッダを設置し、シュレッダでこのような機密書類を裁断していた。
【０００３】
あるいは、プリンタやプリンタを備えた複合機等の印刷装置に着脱可能なシュレッダを取り付けて、このような機密書類を裁断していた（例えば、特許文献１参照）。
【特許文献１】特開平６−６３４３５号公報
【発明の開示】
【発明が解決しようとする課題】
【０００４】
そのため、従来においては、限られたオフィス等の環境空間の中で、プリンタ等の印刷装置のほかに、さらに、別途シュレッダを設置するためのスペースを確保しなければならないという問題があった。
【０００５】
そこで、本発明は、シュレッダを要することなく機密書類を処分することのできる印刷装置を提供することを目的とする。
【課題を解決するための手段】
【０００６】
この課題を解決するために、本発明の印刷装置は、上書き印刷により印刷済み文字の判別を困難にする上書き用画像データが格納されたデータ保持手段と、前記データ保持手段の上書き用画像データを展開する画像描画手段と、前記画像描画手段から転送される画像データを用紙に印刷記録する画像記録手段とを有し、前記画像記録手段は、印刷済みの用紙に前記上書き用画像データを上書きするようにしたものである。
【０００７】
本発明の好ましい形態において、前記上書き用画像データは、前記用紙の一面全体を塗りつぶすよう印刷する矩形画像データである。
【０００８】
本発明のさらに好ましい形態において、前記上書き用画像データは、前記用紙の一面全体に文字群を印刷する文字画像データである。
【０００９】
本発明のさらに好ましい形態において、前記文字画像データは、複数の文字サイズの文字群で構成されている。
【００１０】
本発明のさらに好ましい形態において、前記文字画像データは、複数の文字角度の文字群で構成されている。
【００１１】
本発明のさらに好ましい形態において、前記文字画像データは、有意の文字列により構成されている。
【００１２】
本発明のさらに好ましい形態において、前記上書き用画像データは、前記用紙の一面全体に線画群を印刷する画像データである。
【００１３】
この課題を解決するために、本発明の印刷装置は、上書き印刷により印刷済み文字の判別を困難にする上書き用描画コマンドが格納されたデータ保持手段と、前記データ保持手段の上書き用描画コマンドに基づいて画像データを描画する画像描画手段と、前記画像描画手段から転送される画像データを用紙に印刷記録する画像記録手段とを有し、前記画像記録手段は、印刷済みの用紙に前記上書き用描画コマンドに基づいて描画した上書き用画像データを上書きするようにしたものである。
【００１４】
本発明の好ましい形態において、前記上書き用描画コマンドは、前記用紙の一面全体を塗りつぶすよう印刷する矩形描画コマンドである。
【００１５】
本発明のさらに好ましい形態において、前記上書き用描画コマンドは、前記用紙の一面全体に文字群を印刷する文字描画コマンドである。
【００１６】
本発明のさらに好ましい形態において、前記文字描画コマンドは、複数の文字サイズの文字群で構成されている。
【００１７】
本発明のさらに好ましい形態において、前記文字描画コマンドは、複数の文字角度の文字群で構成されている。
【００１８】
本発明のさらに好ましい形態において、前記文字描画コマンドは、有意の文字列により構成されている。
【００１９】
本発明のさらに好ましい形態において、前記上書き用描画コマンドは、前記用紙の一面全体に線画群を印刷する線画画像コマンドである。
【００２０】
この課題を解決するために、本発明の印刷装置は、上書き印刷により印刷済み文字の判別を困難にする上書き用画像データが格納されたデータ保持手段と、前記データ保持手段の上書き用画像データを展開する画像描画手段と、前記画像描画手段から転送される画像データを用紙に印刷記録する画像記録手段と、廃トナーが収納された廃トナー収納手段とを有し、前記画像記録手段は、印刷済みの用紙に前記廃トナーを用いて前記上書き用画像データを上書きするようにしたものである。
【００２１】
本発明の好ましい形態において、前記上書き用画像データは、前記用紙の一面全体を塗りつぶすよう印刷する矩形画像データである。
【００２２】
本発明のさらに好ましい形態において、前記上書き用画像データは、前記用紙の一面全体に文字群を印刷する文字画像データである。
【００２３】
本発明のさらに好ましい形態において、前記文字画像データは、複数の文字サイズの文字群で構成されている。
【００２４】
本発明のさらに好ましい形態において、前記文字画像データは、複数の文字角度の文字群で構成されている。
【００２５】
本発明のさらに好ましい形態において、前記文字画像データは、有意の文字列により構成されている。
【００２６】
本発明のさらに好ましい形態において、前記上書き用画像データは、前記用紙の一面全体に線画群を印刷する画像データである。
【００２７】
この課題を解決するために、本発明の印刷装置は、上書き印刷により印刷済み文字の判別を困難にする上書き用描画コマンドが格納されたデータ保持手段と、前記データ保持手段の上書き用描画コマンドに基づいて画像データを描画する画像描画手段と、前記画像描画手段から転送される画像データを用紙に印刷記録する画像記録手段と、廃トナーが収納された廃トナー収納手段とを有し、前記画像記録手段は、印刷済みの用紙に前記上書き用描画コマンドに基づいて前記廃トナーを用いて描画した上書き用画像データを上書きするようにしたものである。
【００２８】
本発明の好ましい形態において、前記上書き用描画コマンドは、前記用紙の一面全体を塗りつぶすよう印刷する矩形描画コマンドである。
【００２９】
本発明のさらに好ましい形態において、前記上書き用描画コマンドは、前記用紙の一面全体に文字群を印刷する文字描画コマンドである。
【００３０】
本発明のさらに好ましい形態において、前記文字描画コマンドは、複数の文字サイズの文字群で構成されている。
【００３１】
本発明のさらに好ましい形態において、前記文字描画コマンドは、複数の文字角度の文字群で構成されている。
【００３２】
本発明のさらに好ましい形態において、前記文字描画コマンドは、有意の文字列により構成されている。
【００３３】
本発明のさらに好ましい形態において、前記上書き用描画コマンドは、前記用紙の一面全体に線画群を印刷する線画画像コマンドである。
【００３４】
この課題を解決するために、本発明の印刷装置は、描画コマンドが書き込まれるデータ保持手段と、前記データ保持手段の前記描画コマンドに基づいて画像データを描画する画像描画手段と、前記画像描画手段から転送される画像データを用紙に印刷記録する画像記録手段と、廃トナーが収納された廃トナー収納手段とを有し、前記画像記録手段は、印刷済みの用紙に感光体全面に形成した前記廃トナーを用いて前記用紙の一面全体を塗りつぶすよう印刷するようにしたものである。
【発明の効果】
【００３５】
本発明によれば、機密書類等の印刷済み用紙に印刷装置により上書き用画像データを上書き印刷し、記載されている内容を判別できなくするようにしているので、別途のシュレッダを要することなく機密書類を処分することが可能になるという有効な効果が得られる。
【００３６】
これにより、オフィス等でシュレッダの設置スペースが不要になり、限られた環境空間を有効利用することができるという有効な効果が得られる。
【発明を実施するための最良の形態】
【００３７】
本発明の請求項１に記載の発明は、上書き印刷により印刷済み文字の判別を困難にする上書き用画像データが格納されたデータ保持手段と、データ保持手段の上書き用画像データを展開する画像描画手段と、画像描画手段から転送される画像データを用紙に印刷記録する画像記録手段とを有し、画像記録手段は、印刷済みの用紙に上書き用画像データを上書きすることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００３８】
本発明の請求項２に記載の発明は、請求項１記載の発明において、上書き用画像データは、用紙の一面全体を塗りつぶすよう印刷する矩形画像データであることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００３９】
本発明の請求項３に記載の発明は、請求項１記載の発明において、上書き用画像データは、用紙の一面全体に文字群を印刷する文字画像データであることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４０】
本発明の請求項４に記載の発明は、請求項３記載の発明において、文字画像データは、複数の文字サイズの文字群で構成されていることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４１】
本発明の請求項５に記載の発明は、請求項３または４記載の発明において、文字画像データは、複数の文字角度の文字群で構成されていることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４２】
本発明の請求項６に記載の発明は、請求項３、４または５記載の発明において、文字画像データは、有意の文字列により構成されていることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４３】
本発明の請求項７に記載の発明は、請求項３〜６の何れか一項に記載の発明において、上書き用画像データは、用紙の一面全体に線画群を印刷する画像データであることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４４】
本発明の請求項８に記載の発明は、上書き印刷により印刷済み文字の判別を困難にする上書き用描画コマンドが格納されたデータ保持手段と、データ保持手段の上書き用描画コマンドに基づいて画像データを描画する画像描画手段と、画像描画手段から転送される画像データを用紙に印刷記録する画像記録手段とを有し、画像記録手段は、印刷済みの用紙に上書き用描画コマンドに基づいて描画した上書き用画像データを上書きすることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４５】
本発明の請求項９に記載の発明は、請求項８記載の発明において、上書き用描画コマンドは、用紙の一面全体を塗りつぶすよう印刷する矩形描画コマンドであることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４６】
本発明の請求項１０に記載の発明は、請求項８記載の発明において、上書き用描画コマンドは、用紙の一面全体に文字群を印刷する文字描画コマンドであることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４７】
本発明の請求項１１に記載の発明は、請求項１０記載の発明において、文字描画コマンドは、複数の文字サイズの文字群で構成されていることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４８】
本発明の請求項１２に記載の発明は、請求項１０または１１記載の発明において、文字描画コマンドは、複数の文字角度の文字群で構成されていることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００４９】
本発明の請求項１３に記載の発明は、請求項１０、１１または１２記載の発明において、文字描画コマンドは、有意の文字列により構成されていることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００５０】
本発明の請求項１４に記載の発明は、請求項１０〜１３の何れか一項に記載の発明において、上書き用描画コマンドは、用紙の一面全体に線画群を印刷する線画画像コマンドであることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。
【００５１】
本発明の請求項１５に記載の発明は、上書き印刷により印刷済み文字の判別を困難にする上書き用画像データが格納されたデータ保持手段と、データ保持手段の上書き用画像データを展開する画像描画手段と、画像描画手段から転送される画像データを用紙に印刷記録する画像記録手段と、廃トナーが収納された廃トナー収納手段とを有し、画像記録手段は、印刷済みの用紙に廃トナーを用いて上書き用画像データを上書きすることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。また、上書き印刷は廃トナーを使用して行うようにしているので、印刷装置内部に溜まっている廃トナーを減少させることができ、廃トナー容器の小型化、ひいては印刷装置の小型化が可能になるという作用を有する。
【００５２】
本発明の請求項１６に記載の発明は、請求項１５記載の発明において、上書き用画像データは、用紙の一面全体を塗りつぶすよう印刷する矩形画像データであることを特徴とする印刷装置であり、別途のシュレッダを要することなく、機密書類等を処分することができるとともに、印刷装置内部に溜まっている廃トナーを減少させることができるという作用を有する。
【００５３】
本発明の請求項１７に記載の発明は、請求項１５記載の発明において、上書き用画像データは、用紙の一面全体に文字群を印刷する文字画像データであることを特徴とする印刷装置であり、別途のシュレッダを要することなく、機密書類等を処分することができるとともに、印刷装置内部に溜まっている廃トナーを減少させることができるという作用を有する。
【００５４】
本発明の請求項１８に記載の発明は、請求項１７記載の発明において、文字画像データは、複数の文字サイズの文字群で構成されていることを特徴とする印刷装置であり、別途のシュレッダを要することなく、機密書類等を処分することができるとともに、印刷装置内部に溜まっている廃トナーを減少させることができるという作用を有する。
【００５５】
本発明の請求項１９に記載の発明は、請求項１７または１８記載の発明において、文字画像データは、複数の文字角度の文字群で構成されていることを特徴とする印刷装置であり、別途のシュレッダを要することなく、機密書類等を処分することができるとともに、印刷装置内部に溜まっている廃トナーを減少させることができるという作用を有する。
【００５６】
本発明の請求項２０に記載の発明は、請求項１７、１８または１９記載の発明において、文字画像データは、有意の文字列により構成されていることを特徴とする印刷装置であり、別途のシュレッダを要することなく、機密書類等を処分することができるとともに、印刷装置内部に溜まっている廃トナーを減少させることができるという作用を有する。
【００５７】
本発明の請求項２１に記載の発明は、請求項１７〜２０の何れか一項に記載の発明において、上書き用画像データは、用紙の一面全体に線画群を印刷する画像データであることを特徴とする印刷装置であり、別途のシュレッダを要することなく、機密書類等を処分することができるとともに、印刷装置内部に溜まっている廃トナーを減少させることができるという作用を有する。
【００５８】
本発明の請求項２２に記載の発明は、上書き印刷により印刷済み文字の判別を困難にする上書き用描画コマンドが格納されたデータ保持手段と、データ保持手段の上書き用描画コマンドに基づいて画像データを描画する画像描画手段と、画像描画手段から転送される画像データを用紙に印刷記録する画像記録手段と、廃トナーが収納された廃トナー収納手段とを有し、画像記録手段は、印刷済みの用紙に上書き用描画コマンドに基づいて廃トナーを用いて描画した上書き用画像データを上書きすることを特徴とする印刷装置であり、印刷済み用紙に印刷装置により上書き用画像データを上書き印刷することにより、記載されている内容が判別できなくなるので、別途のシュレッダを要することなく、機密書類等を処分することができるという作用を有する。また、上書き印刷は廃トナーを使用して行うようにしているので、印刷装置内部に溜まっている廃トナーを減少させることができ、廃トナー容器の小型化、ひいては印刷装置の小型化が可能になるという作用を有する。
【００５９】
本発明の請求項２３に記載の発明は、請求項２２記載の発明において、上書き用描画コマンドは、用紙の一面全体を塗りつぶすよう印刷する矩形描画コマンドであることを特徴とする印刷装置であり、別途のシュレッダを要することなく、機密書類等を処分することができるとともに、印刷装置内部に溜まっている廃トナーを減少させることができるという作用を有する。
【００６０】
本発明の請求項２４に記載の発明は、請求項２２記載の発明において、上書き用描画コマンドは、用紙の一面全体に文字群を印刷する文字描画コマンドであることを特徴とする印刷装置であり、別途のシュレッダを要することなく、機密書類等を処分することができるとともに、印刷装置内部に溜まっている廃トナーを減少させることができるという作用を有する。
【００６１】
本発明の請求項２５に記載の発明は、請求項２４記載の発明において、文字描画コマンドは、複数の文字サイズの文字群で構成されていることを特徴とする印刷装置であり、別途のシュレッダを要することなく、機密書類等を処分することができるとともに、印刷装置内部に溜まっている廃トナーを減少させることができるという作用を有する。
【００６２】
本発明の請求項２６に記載の発明は、請求項２４または２５記載の発明において、文字描画コマンドは、複数の文字角度の文字群で構成されていることを特徴とする印刷装置であり、別途のシュレッダを要することなく、機密書類等を処分することができるとともに、印刷装置内部に溜まっている廃トナーを減少させることができるという作用を有する。
【００６３】
本発明の請求項２７に記載の発明は、請求項２４、２５または２６記載の発明において、文字描画コマンドは、有意の文字列により構成されていることを特徴とする印刷装置であり、別途のシュレッダを要することなく、機密書類等を処分することができるとともに、印刷装置内部に溜まっている廃トナーを減少させることができるという作用を有する。
【００６４】
本発明の請求項２８に記載の発明は、請求項２４〜２７の何れか一項に記載の発明において、上書き用描画コマンドは、用紙の一面全体に線画群を印刷する線画画像コマンドであることを特徴とする印刷装置であり、別途のシュレッダを要することなく、機密書類等を処分することができるとともに、印刷装置内部に溜まっている廃トナーを減少させることができるという作用を有する。
【００６５】
本発明の請求項２９に記載の発明は、描画コマンドが書き込まれるデータ保持手段と、データ保持手段の描画コマンドに基づいて画像データを描画する画像描画手段と、画像描画手段から転送される画像データを用紙に印刷記録する画像記録手段と、廃トナーが収納された廃トナー収納手段とを有し、画像記録手段は、印刷済みの用紙に感光体全面に形成した廃トナーを用いて用紙の一面全体を塗りつぶすよう印刷することを特徴とする印刷装置であり、別途のシュレッダを要することなく、機密書類等を処分することができるとともに、印刷装置内部に溜まっている廃トナーを減少させることができるという作用を有する。
【００６６】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００６７】
（実施の形態１）
図１は、本発明の実施の形態１に係る印刷装置の構成を示すブロック図である。
【００６８】
ここでは、外部に接続されたホストコンピュータ２から転送されるページ記述言語等のプリンタ言語を読み込んでこれを印刷出力するプリンタを本発明の一実施の形態に係る印刷装置の一例として挙げている。
【００６９】
図１において、印刷装置１は、外部のホストコンピュータ２から転送されるプリンタ言語を受け取るためのホストインタフェース部３と、ホストインタフェース部３が受け取るプリンタ言語を解釈してこれを描画コマンドに変換し、メモリ（データ保持手段）５に書き込むプリンタ言語処理部４と、メモリ５内にある描画コマンドに基づいて画像データを描画したり、メモリ５内にある上書き用画像データ（既に印刷された用紙上に上書き印刷することにより文字の判別を困難にするような画像データ）５ａを必要サイズに展開する画像描画部（画像描画手段）７と、印刷される用紙が供給される給紙口９および印刷された用紙が排出される排紙口１０を伴ない、画像描画部７から転送される画像データを用紙に印刷記録するプリンタエンジン部（画像記録手段）８と、操作者（ユーザ）が印刷に必要な所要の操作を行う操作部６とから主に構成されている。そして、このような印刷装置１は、図示しない制御部によりその全体の動作を制御されている。
【００７０】
なお、本実施の形態では、描画コマンドを格納するメモリ５には、通常の印刷用データと上書き用データとを一緒に格納する例を示しているが、各々別のメモリに格納しても構わない。他の実施の形態も同様である。
【００７１】
図２は、図１の印刷装置において実行される印刷の動作手順を示すフローチャートである。
【００７２】
ここで、上記印刷装置において実行される印刷動作を、図２を用いて詳細に説明する。
【００７３】
まず、操作部６において、操作者により上書きモードが選択されているかどうかを判別する（ステップＳ１１）。
【００７４】
ステップＳ１１において、上書きモードが選択されていない場合は、通常の印刷処理を行う（ステップＳ１２）。すなわち、画像描画部７によりメモリ５内にある図示しない描画コマンドを取得して、そのコマンドに基づいて描画を行う。これを画像データとしてプリンタエンジン部８に転送し、給紙口９にある用紙をプリンタエンジン部８内の印刷記録位置にまで搬送させて当該画像データを印刷記録する。そして、印刷記録された用紙を排紙口１０から排出する。
【００７５】
一方、ステップＳ１１において、上書きモードが選択されている場合には、まず、１ページ分の上書き用画像データを生成する（ステップＳ１３）。すなわち、画像描画部７によりメモリ５内にある上書き用画像データ５ａを取得して、１ページ分の上書き用画像データを生成する。
【００７６】
次に、その画像データをプリンタエンジン部８に転送する（ステップＳ１４）。すなわち、操作者があらかじめ給紙口９にセットした機密書類等の印刷済み用紙をプリンタエンジン部８内の印刷記録位置にまで搬送させ、上書き用画像データを上書き印刷記録させる上書き印刷処理を実行指示する（ステップＳ１５）。そして、上書き印刷記録された用紙を排紙口１０から排出する。
【００７７】
以上が１ページ分の上書き印刷処理であり、操作者が操作部６において設定したページ数分かどうかを判定して（ステップＳ１６）、必要ページ数分の上書き印刷処理を行う。
【００７８】
以上説明したように、実施の形態１に係る印刷装置によれば、機密書類等の印刷済み用紙に印刷装置により上書き用画像データを上書き印刷し、記載されている内容を判別できなくするようにしているので、別途のシュレッダを要することなく、機密書類等を処分することができる。
【００７９】
なお、印刷装置に用いられる上書き用画像データ５ａは、印刷済みの用紙に上書きすることにより既に印刷された文字の判別が困難になるような画像データであれば足り、矩形画像データ、すなわち機密書類等の印刷済み用紙の一面全体を塗りつぶすよう印刷する画像データであってもよい。
【００８０】
また、印刷装置に用いられる上書き用画像データ５ａは、文字画像データ、すなわち機密書類等の印刷済み用紙の一面全体に文字群を上書きする画像データであってもよい。これにより、機密書類等の印刷済み用紙に記載されている文字情報が判別しにくくなる。
【００８１】
図３は、このような文字画像データを白紙に印字した一例であり、各文字が持つ直線、曲線の線分がさまざまな角度を向いているので、このような文字画像データを上書きすることにより、下地用紙に記載されている文字情報を判別しにくくする。
【００８２】
なお、文字画像データは、複数の文字サイズの文字群で構成されていてもよい。これにより、上書きする文字と上書きされる下地用紙に記載されている文字のサイズの合致度合いが高まり易くなるので、機密書類等の印刷済み用紙に記載されている文字情報がさらに判別しにくくなる。
【００８３】
また、文字画像データは、複数の文字角度の文字群で構成されていてもよい。これにより、上書きする文字と上書きされる下地用紙に記載されている文字の向きの合致度合いが高まり易くなるので、機密書類等の印刷済み用紙に記載されている文字情報がさらに判別しにくくなる。
【００８４】
また、文字画像データは、複数の文字サイズで、且つ複数の文字角度の文字群で構成されていてもよい。これにより、文字サイズと文字角度との相乗効果により、機密書類等の印刷済み用紙に記載されている文字情報がさらに判別しにくくなる。
【００８５】
また、文字画像データは、有意の文字列により構成されていてもよい。これにより、上書きされた文字情報なのか、上書きされる下地用紙に記載されている文字情報なのかの錯乱度合いが高まり易くなるので、機密書類等の印刷済み用紙に記載されている文字情報がさらに判別しにくくなる。なお、有意の文字列は、複数の文字サイズおよび複数の文字角度の少なくとも一つとの併用でもよい。これにより、機密書類等の印刷済み用紙に記載されている文字情報がさらに判別しにくくなる。
【００８６】
さらに、印刷装置に用いられる上書き用画像データ５ａは、線画画像データ、すなわち機密書類等の印刷済み用紙の一面全体に線画群を上書きする画像データであってもよい。これにより、機密書類等の印刷済み用紙に記載されている表情報、図情報、文字情報が判別しにくくなる。
【００８７】
図４は、このような線画画像データの一例として、格子パターンを白紙に印字した例であり、種々の太さの線を組み合わせた格子が、上書きされる下地用紙に記載されている表情報、図情報、文字情報を判別しにくくする。
【００８８】
なお、線画画像データは、直線に限るものではなく、波線、円等を用いてもよいことは言うまでもない。また、図４では、格子状に９０度の角度で交差させているが、他の角度で交差させてもよいことは言うまでもない。
【００８９】
また、線画画像データの使用は、上記の種々の文字画像データとの併用でもよい。これにより、機密書類等の印刷済み用紙に記載されている表情報、図情報、文字情報がさらに判別しにくくなる。
【００９０】
（実施の形態２）
図５は、本発明の実施の形態２に係る印刷装置の構成を示すブロック図である。
【００９１】
ここでは、外部に接続されたホストコンピュータ２から転送されるページ記述言語等のプリンタ言語を読み込んでこれを印刷出力するプリンタを本発明の一実施の形態に係る印刷装置の一例として挙げている。
【００９２】
なお、図５は、実施の形態１の図１に示した構成におけるメモリ５内の上書き用画像データ５ａを、上書き用描画コマンド５ｂに置き換えたものである。
【００９３】
図５において、印刷装置１は、外部のホストコンピュータ２から転送されるプリンタ言語を受け取るためのホストインタフェース部３と、ホストインタフェース部３が受け取るプリンタ言語を解釈してこれを描画コマンドに変換し、メモリ（データ保持手段）５に書き込むプリンタ言語処理部４と、メモリ５内にある描画コマンドに基づいて画像データを描画したり、メモリ５内にある上書き用描画コマンド（既に印刷された用紙上に上書き印刷することにより文字の判別を困難にするような描画コマンド）５ｂを描画する画像描画部（画像描画手段）７と、印刷される用紙が供給される給紙口９および印刷された用紙が排出される排紙口１０を伴ない、画像描画部７から転送される画像データを用紙に印刷記録するプリンタエンジン部（画像記録手段）８と、操作者（ユーザ）が印刷に必要な所要の操作を行う操作部６とから主に構成されている。そして、このような印刷装置１は、図示しない制御部によりその全体の動作を制御されている。
【００９４】
図６は、図５の印刷装置において実行される印刷の動作手順を示すフローチャートである。
【００９５】
ここで、上記印刷装置において実行される印刷動作を、図６を用いて詳細に説明する。
【００９６】
まず、操作部６において、操作者により上書きモードが選択されているかどうかを判別する（ステップＳ２１）。
【００９７】
ステップＳ２１において、上書きモードが選択されていない場合は、通常の印刷処理を行う（ステップＳ２２）。すなわち、画像描画部７によりメモリ５内にある図示しない描画コマンドを取得して、そのコマンドに基づいて描画を行う。これを画像データとしてプリンタエンジン部８に転送し、給紙口９にある用紙をプリンタエンジン部８内の印刷記録位置にまで搬送させて当該画像データを印刷記録する。そして、印刷記録された用紙を排紙口１０から排出する。
【００９８】
一方、ステップＳ２１において、上書きモードが選択されている場合には、まず、１ページ分の上書き用画像データを生成する（ステップＳ２３）。すなわち、画像描画部７は、メモリ５内にある上書き用描画コマンド５ｂを取得して、その描画コマンドに基づき、１ページ分の上書き用画像データを生成する。
【００９９】
次に、その画像データをプリンタエンジン部８に転送する（ステップＳ２４）。すなわち、操作者があらかじめ給紙口９にセットした機密書類等の印刷済み用紙をプリンタエンジン部８内の印刷記録位置にまで搬送させ、上書き用画像データを上書き印刷記録させる上書き印刷処理を実行指示する（ステップＳ２５）。そして、上書き印刷記録された用紙を排紙口１０から排出する。
【０１００】
以上が１ページ分の上書き印刷処理であり、操作者が操作部６において設定したページ数分かどうかを判定して（ステップＳ２６）、必要ページ数分の上書き印刷処理を行う。
【０１０１】
以上説明したように、実施の形態２に係る印刷装置によれば、機密書類等の印刷済み用紙に印刷装置により上書き用画像データを上書き印刷し、記載されている内容を判別できなくするようにしているので、別途のシュレッダを要することなく、機密書類等を処分することができる。
【０１０２】
なお、印刷装置に用いられる上書き用描画コマンド５ｂは、印刷済みの用紙に上書きすることにより既に印刷された文字の判別が困難になるような画像データであれば足り、矩形描画コマンド、すなわち機密書類等の印刷済み用紙の一面全体を塗りつぶすような描画コマンドであってもよい。
【０１０３】
また、印刷装置に用いられる上書き用描画コマンド５ｂは、文字描画コマンド（例えば、実施の形態１の図３に示したような文字画像データを描画させる文字描画コマンド）、すなわち機密書類等の印刷済み用紙の一面全体に文字群を上書きする描画コマンドであってもよい。これにより、機密書類等の印刷済み用紙に記載されている文字情報が判別しにくくなる。
【０１０４】
なお、文字画像コマンドは、複数の文字サイズの文字群を描画させるコマンド群で構成されていてもよい。これにより、上書きする文字と上書きされる下地用紙に記載されている文字のサイズの合致度合いが高まり易くなるので、機密書類等の印刷済み用紙に記載されている文字情報がさらに判別しにくくなる。
【０１０５】
なお、文字画像コマンドは、複数の文字サイズの文字群を描画させるコマンド群で構成されていてもよい。これにより、上書きする文字と上書きされる下地用紙に記載されている文字のサイズの合致度合いが高まり易くなるので、機密書類等の印刷済み用紙に記載されている文字情報がさらに判別しにくくなる。
【０１０６】
また、文字画像コマンドは、複数の文字サイズで、且つ複数の文字角度の文字群を描画させるコマンド群で構成されていてもよい。これにより、文字サイズと文字角度との相乗効果により、機密書類等の印刷済み用紙に記載されている文字情報がさらに判別しにくくなる。
【０１０７】
また、文字画像コマンドは、有意の文字列を描画させるコマンド群により構成されていてもよい。これにより、上書きされた文字情報なのか、上書きされる下地用紙に記載されている文字情報なのかの錯乱度合いが高まり易くなるので、機密書類等の印刷済み用紙に記載されている文字情報がさらに判別しにくくなる。なお、有意の文字列は、複数の文字サイズおよび複数の文字角度の少なくとも一つとの併用でもよい。これにより、機密書類等の印刷済み用紙に記載されている文字情報がさらに判別しにくくなる。
【０１０８】
さらに、印刷装置に用いられる上書き用描画コマンド５ｂは、線画画像コマンド、すなわち機密書類等の印刷済み用紙の一面全体に線画群を上書きする画像コマンド（例えば、実施の形態１の図４に示したような線画画像データを描画させる線画描画コマンド）であってもよい。これにより、機密書類等の印刷済み用紙に記載されている表情報、図情報、文字情報が判別しにくくなる。
【０１０９】
また、線画画像コマンドの使用は、上記の種々の文字描画コマンドとの併用でもよい。これにより、機密書類等の印刷済み用紙に記載されている表情報、図情報、文字情報がさらに判別しにくくなる。
【０１１０】
（実施の形態３）
図７は、本発明の実施の形態３に係る印刷装置の構成を示すブロック図である。
【０１１１】
ここでは、外部に接続されたホストコンピュータ２から転送されるページ記述言語等のプリンタ言語を読み込んでこれを印刷出力するプリンタを本発明の一実施の形態に係る印刷装置の一例として挙げている。
【０１１２】
図７において、印刷装置１は、外部のホストコンピュータ２から転送されるプリンタ言語を受け取るためのホストインタフェース部３と、ホストインタフェース部３が受け取るプリンタ言語を解釈してこれを描画コマンドに変換し、メモリ（データ保持手段）５に書き込むプリンタ言語処理部４と、メモリ５内にある描画コマンドに基づいて画像データを描画したり、メモリ５内にある上書き用画像データ（既に印刷された用紙上に上書き印刷することにより文字の判別を困難にするような画像データ）５ａを必要サイズに展開する画像描画部（画像描画手段）７と、印刷される用紙が供給される給紙口９および印刷された用紙が排出される排紙口１０を伴ない、画像描画部７から転送される画像データを用紙に印刷記録するプリンタエンジン部（画像記録手段）８と、操作者（ユーザ）が印刷に必要な所要の操作を行う操作部６とから主に構成されている。そして、このような印刷装置１は、図示しない制御部によりその全体の動作を制御されている。
【０１１３】
図８は、図７の印刷装置において実行される印刷の動作手順を示すフローチャートである。
【０１１４】
ここで、上記印刷装置において実行される印刷動作を、図８を用いて詳細に説明する。
【０１１５】
まず、操作部６において、操作者により上書きモードが選択されているかどうかを判別する（ステップＳ３１）。
【０１１６】
ステップＳ３１において、上書きモードが選択されていない場合は、通常の印刷処理を行う（ステップＳ３２）。すなわち、画像描画部７によりメモリ５内にある図示しない描画コマンドを取得して、そのコマンドに基づいて描画を行う。これを画像データとしてプリンタエンジン部８に転送し、給紙口９にある用紙をプリンタエンジン部８内の印刷記録位置にまで搬送させて当該画像データを印刷記録する。そして、印刷記録された用紙を排紙口１０から排出する。
【０１１７】
一方、ステップＳ３１において、上書きモードが選択されている場合には、まず、１ページ分の上書き用画像データを生成する（ステップＳ３３）。すなわち、画像描画部７によりメモリ５内にある上書き用画像データ５ａを取得して、１ページ分の上書き用画像データを生成する。
【０１１８】
次に、プリンタエンジン部８に廃トナーの使用を指示し（ステップＳ３４）、続いて、上書き用画像データをプリンタエンジン部８に転送する（ステップＳ３５）。すなわち、操作者があらかじめ給紙口９にセットした機密書類等の印刷済み用紙をプリンタエンジン部８内の印刷記録位置にまで搬送させ、上書き用画像データを廃トナーを使用して上書き印刷記録させる上書き印刷処理を実行指示する（ステップＳ３６）。そして、上書き印刷記録された用紙を排紙口１０から排出する。
【０１１９】
以上が１ページ分の上書き印刷処理であり、操作者が操作部６において設定したページ数分かどうかを判定して（ステップＳ３７）、必要ページ数分の上書き印刷処理を行う。
【０１２０】
ここで、図９は、図７の印刷装置におけるプリンタエンジン部の構成の一例を示すブロック図である。
【０１２１】
図９において、プリンタエンジン部８は、エンジン制御部１１と、プリンタエンジン部８の外部より画像データを受け取り、帯電された図示しない感光体に対して露光を行って潜像を形成する露光部１２と、トナー容器１４に収納されているトナーを用いて潜像を現像する第１現像部１３と、廃トナー容器（廃トナー収納手段）１６に収納されている廃トナーを用いて潜像を現像する第２現像部１５と、現像された画像を給紙口９から搬送される用紙に転写する転写部１７と、用紙上に転写された画像を加熱してこれを用紙に定着させる定着部１８とから主に構成されている。
【０１２２】
図１０は、図９のプリンタエンジン部における印刷の動作手順を示すフローチャートである。
【０１２３】
図１０を用いて、プリンタエンジン部８における印刷動作をより詳細に説明する。
【０１２４】
まず、プリンタエンジン部８に起動がかけられたら、図示しない帯電器で図示しない感光体を帯電する（ステップＳ４１）。
【０１２５】
次に、露光部１２は、帯電された感光体に対して、画像描画部７から受け取る画像データに応じた露光を施す（ステップＳ４２）。すなわち、操作部６において、操作者により上書きモードが選択されていない場合は通常の印刷動作となるので、画像描画部７から転送される通常印刷用の画像データを使って露光が施され、感光体上に潜像が形成される。一方、操作者により上書きモードが選択されている場合には、画像描画部７から転送される上書き用の画像データを使って露光が施され、感光体上に上書き用潜像が形成される。
【０１２６】
次に、エンジン制御部１１において、画像描画部７から廃トナー使用指示が出されているかどうかを判別する（ステップＳ４３）。
【０１２７】
そして、ステップＳ４３において、廃トナー使用指示が出されていない場合は、通常の印刷処理として、トナー容器１４に収納されているトナーを用いて第１現像部１３が感光体上の潜像の現像を行う（ステップＳ４５）。
【０１２８】
一方、ステップＳ４３において、廃トナーの使用指示が出されている場合は、上書き印刷処理として、廃トナー容器１６に収納されている廃トナーを用いて第２現像部１５が感光体上の上書き用潜像の現像を行う（ステップＳ４４）。
【０１２９】
ステップＳ４４またはステップＳ４５において現像を行ったならば、転写部１７が、現像された画像を給紙口９から転写位置まで搬送されてきた用紙に転写する（ステップＳ４６）。すなわち、操作者により上書きモードが選択されている場合は、操作者があらかじめ給紙口９にセットした機密書類等の印刷済み用紙に、廃トナーを使って形成された上書き用画像を転写する。また、上書きモードが選択されていない場合は、給紙口９にセットした未使用の用紙に、未使用のトナーを使って形成された画像を転写する。
【０１３０】
次に、定着部１８により、用紙上に転写された画像を加熱してこれを用紙に定着させる（ステップＳ４７）。その後、画像が定着された用紙を排紙口１０から排出する（ステップＳ４８）。
【０１３１】
以上説明したように、実施の形態３に係る印刷装置によれば、機密書類等の印刷済み用紙に印刷装置により上書き用画像データを上書き印刷し、記載されている内容を判別できなくするようにしているので、別途のシュレッダを要することなく、機密書類等を処分することができる。
【０１３２】
また、上書き印刷は廃トナーを使用して行うようにしているので、印刷装置内部に溜まっている廃トナーを減少させることができ、廃トナー容器の小型化、ひいては印刷装置の小型化が可能になる。
【０１３３】
なお、印刷装置に用いられる上書き用画像データは、実施の形態１で示した各種の上書き用画像データを用いればよい。そのようにすることにより、上書き処理される機密書類等の記載内容の判別性において、実施の形態１で示したものと同等の作用効果を得ることができる。
【０１３４】
また、実施の形態２で示した場合と同様、上書き用画像データは上書き用描画コマンドであってもよい。
【０１３５】
（実施の形態４）
図１１は、本発明の実施の形態４に係る印刷装置の構成を示すブロック図である。
【０１３６】
ここでは、外部に接続されたホストコンピュータ２から転送されるページ記述言語等のプリンタ言語を読み込んでこれを印刷出力するプリンタを本発明の一実施の形態に係る印刷装置の一例として挙げている。
【０１３７】
図１１において、印刷装置１は、外部のホストコンピュータ２から転送されるプリンタ言語を受け取るためのホストインタフェース部３と、ホストインタフェース部３が受け取るプリンタ言語を解釈してこれを描画コマンドに変換し、メモリ（データ保持手段）５に書き込むプリンタ言語処理部４と、メモリ５内にある描画コマンドを描画する画像描画部（画像描画手段）７と、印刷される用紙が供給される給紙口９および印刷された用紙が排出される排紙口１０を伴ない、画像描画部７から転送される画像データを用紙に印刷記録するプリンタエンジン部（画像記録手段）８と、操作者（ユーザ）が印刷に必要な所要の操作を行う操作部６とから主に構成されている。そして、このような印刷装置１は、図示しない制御部によりその全体の動作を制御されている。
【０１３８】
なお、実施の形態３における図７の印刷装置との違いは、メモリ５内に、上書き用画像データがないことである。
【０１３９】
図１２は、図１１の印刷装置において実行される印刷の動作手順を示すフローチャートである。
【０１４０】
ここで、上記印刷装置において実行される印刷動作を、図１２を用いて詳細に説明する。
【０１４１】
まず、操作部６において、操作者により上書きモードが選択されているかどうかを判別する（ステップＳ５１）。
【０１４２】
ステップＳ５１において、上書きモードが選択されていない場合は、通常の印刷処理を行う（ステップＳ５２）。すなわち、画像描画部７によりメモリ５内にある図示しない描画コマンドを取得して、そのコマンドに基づいて描画を行う。これを画像データとしてプリンタエンジン部８に転送し、給紙口９にある用紙をプリンタエンジン部８内の印刷記録位置にまで搬送させて当該画像データを通常のトナーを使用して印刷記録する。そして、印刷記録された用紙を排紙口１０から排出する。
【０１４３】
一方、ステップＳ５１において、上書きモードが選択されている場合には、プリンタエンジン部８に廃トナーの使用を指示する（ステップＳ５３）。
【０１４４】
そして、操作者があらかじめ給紙口９にセットした機密書類等の印刷済み用紙をプリンタエンジン部８内の印刷記録位置にまで搬送させ、その印刷済み用紙の一面全体に、廃トナーを使用してベタ画像を上書き印刷処理指示をし（ステップＳ５４）、排紙口１０から排出する。
【０１４５】
以上が１ページ分の上書き印刷処理であり、操作者が操作部６において設定したページ数分かどうかを判定して（ステップＳ５５）、必要ページ数分の上書き印刷処理を行う。
【０１４６】
ここで、図１３は、図１１の印刷装置におけるプリンタエンジン部の構成の一例を示すブロック図である。
【０１４７】
図１３において、プリンタエンジン部８は、エンジン制御部１１と、プリンタエンジン部８の外部より画像データを受け取り、帯電された図示しない感光体に対して露光を行って潜像を形成する露光部１２と、トナー容器１４に収納されているトナーを用いて潜像を現像する第１現像部１３と、廃トナー容器（廃トナー収納手段）１６に収納されている廃トナーを用いて潜像を現像する第２現像部１５と、現像された画像を給紙口９から搬送される用紙に転写する転写部１７と、用紙上に転写された画像を加熱してこれを用紙に定着させる定着部１８とから主に構成されている。
【０１４８】
そして、図９との違いは、露光部１２が第２現像部１５に対して、上書き用潜像を供給しないことである。
【０１４９】
図１４は、図１３のプリンタエンジン部における印刷の動作手順を示すフローチャートである。
【０１５０】
図１４を用いて、プリンタエンジン部８における印刷動作をより詳細に説明する。
【０１５１】
まず、プリンタエンジン部８に起動がかけられたら、エンジン制御部１１において、画像描画部７から廃トナー使用指示が出されているかどうかを判別する（ステップＳ６１）。
【０１５２】
ステップＳ６１において、廃トナー使用指示が出されていない場合は、通常の印刷処理となるので、図示しない帯電器で図示しない感光体を帯電する（ステップＳ６２）。次に、露光部１２は、帯電された感光体に対して、画像描画部７から受け取る画像データに応じた露光を施し（ステップＳ６３）、続いて、トナー容器１４に収納されているトナーを用いて第１現像部１３が感光体上の潜像の現像を行う（ステップＳ６４）。
【０１５３】
一方、ステップＳ６１において、廃トナーの使用指示が出されている場合は、上書き印刷処理として、廃トナー容器１６に収納されている廃トナーを用いて第２現像部１５が感光体上に上書き用の廃トナー像の形成を行う（ステップＳ６５）。すなわち、帯電も露光もされない感光体の静電レベルが低いので、潜像形成プロセスを経ずとも、現像バイアスをかけることで、感光体全面に廃トナー像が形成される。そして、この廃トナー像を上書き印刷用に用いる。
【０１５４】
次に、転写部１７が、現像された画像を給紙口９から転写位置まで搬送されてきた用紙に転写する（ステップＳ６６）。すなわち、操作者により上書きモードが選択されている場合は、操作者があらかじめ給紙口９にセットした機密書類等の印刷済み用紙に、廃トナーを使って形成された上書き用廃トナー像を転写する。また、上書きモードが選択されていない場合は、給紙口９にセットした未使用の用紙に、未使用のトナーを使って形成された画像を転写する。
【０１５５】
次に、定着部１８により、用紙上に転写された画像を加熱してこれを用紙に定着させる（ステップＳ６７）。その後、画像が定着された用紙を排紙口１０から排出する（ステップＳ６８）。
【０１５６】
以上説明したように、実施の形態４に係る印刷装置によれば、機密書類等の印刷済み用紙に印刷装置により上書き用画像データを上書き印刷し、記載されている内容を判別できなくするようにしているので、別途のシュレッダを要することなく、機密書類等を処分することができる。
【０１５７】
また、上書き印刷は廃トナーを使用して行うようにしているので、印刷装置内部に溜まっている廃トナーを減少させることができ、廃トナー容器の小型化、ひいては印刷装置の小型化が可能になる。
【産業上の利用可能性】
【０１５８】
本発明に係る印刷装置は、廃トナーを用いる場合はレーザ記録方式の印刷装置に適用されるが、それ以外については、例えばインクジェット記録方式など、様々な記録方式の印刷装置に適用することが可能である。
【図面の簡単な説明】
【０１５９】
【図１】本発明の実施の形態１に係る印刷装置の構成を示すブロック図
【図２】図１の印刷装置において実行される印刷の動作手順を示すフローチャート
【図３】図１の印刷装置における上書き用画像データの一例を示す図
【図４】図１の印刷装置における上書き用画像データの他の一例を示す図
【図５】本発明の実施の形態２に係る印刷装置の構成を示すブロック図
【図６】図５の印刷装置において実行される印刷の動作手順を示すフローチャート
【図７】本発明の実施の形態３に係る印刷装置の構成を示すブロック図
【図８】図７の印刷装置において実行される印刷の動作手順を示すフローチャート
【図９】図７の印刷装置におけるプリンタエンジン部の構成の一例を示すブロック図
【図１０】図９のプリンタエンジン部における印刷の動作手順を示すフローチャート
【図１１】本発明の実施の形態４に係る印刷装置の構成を示すブロック図
【図１２】図１１の印刷装置において実行される印刷の動作手順を示すフローチャート
【図１３】図１１の印刷装置におけるプリンタエンジン部の構成の一例を示すブロック図
【図１４】図１３のプリンタエンジン部における印刷の動作手順を示すフローチャート
【符号の説明】
【０１６０】
１    印刷装置
２    ホストコンピュータ
３    ホストインタフェース部
４    プリンタ言語処理部
５    メモリ
５ａ    上書き用画像データ
５ｂ    上書き用描画コマンド
６    操作部
７    画像描画部
８    プリンタエンジン部
９    給紙口
１０    排紙口
１１    エンジン制御部
１２    露光部
１３    第１現像部
１４    トナー容器
１５    第２現像部
１６    廃トナー容器
１７    転写部
１８    定着部
【図１】
2007015327.tif 000003
【図２】
2007015327.tif 000004
【図３】
2007015327.tif 000005
【図４】
2007015327.tif 000006
【図５】
2007015327.tif 000007
【図６】
2007015327.tif 000008
【図７】
2007015327.tif 000009
【図８】
2007015327.tif 000010
【図９】
2007015327.tif 000011
【図１０】
2007015327.tif 000012
【図１１】
2007015327.tif 000013
【図１２】
2007015327.tif 000014
【図１３】
2007015327.tif 000015
【図１４】
2007015327.tif 000016